(57)【要約】【課題】利便性を下げることなく、より正確に認証することができる。【解決手段】第１撮像部１１は画像を撮影する。第２撮像部１２は第１撮像部１１の撮影範囲とは異なる撮影範囲の画像を撮影する。記憶部１６は第１画像と第２画像とを記憶する。画像認証判定部１５１は、第１撮像部１１が撮影した画像に含まれている被写体と記憶部１６が記憶している第１画像に含まれている被写体とが一致し、かつ第２撮像部１２が撮影した画像に含まれている被写体と記憶部１６が記憶している第２画像に含まれている被写体とが一致する場合にロックを解除する認証処理を行う。【選択図】図２
2015046061.tif 000002
【特許請求の範囲】
【請求項１】
画像を撮影する第１撮像部と、
前記第１撮像部の撮影範囲とは異なる撮影範囲の画像を撮影する第２撮像部と、
第１画像と第２画像とを記憶する記憶部と、
前記第１撮像部が撮影した前記画像に含まれている被写体と前記記憶部が記憶している前記第１画像に含まれている被写体とが一致し、かつ前記第２撮像部が撮影した前記画像に含まれている被写体と前記記憶部が記憶している前記第２画像に含まれている被写体とが一致する場合にロックを解除する認証処理を行う画像認証判定部と、
を備えることを特徴とする携帯端末装置。
【請求項２】
前記記憶部は、複数組の前記第１画像と前記第２画像とを記憶し、
前記画像認証判定部は、前記記憶部が記憶するいずれかの組の前記第１画像と前記第２画像とを用いて前記認証処理を行う
ことを特徴とする請求項１に記載の携帯端末装置。
【請求項３】
第１撮像部と、前記第１撮像部の撮影範囲とは異なる撮影範囲の画像を撮影する第２撮像部とに画像を撮影させる撮像ステップと、
記憶部に第１画像と第２画像とを記憶させる記憶ステップと、
前記第１撮像部が撮影した前記画像に含まれている被写体と前記記憶部が記憶している前記第１画像に含まれている被写体とが一致し、かつ前記第２撮像部が撮影した前記画像に含まれている被写体と前記記憶部が記憶している前記第２画像に含まれている被写体とが一致する場合にロックを解除する認証処理を行う画像認証判定ステップと、
を含むことを特徴とする認証方法。
【請求項４】
第１撮像部と、前記第１撮像部の撮影範囲とは異なる撮影範囲の画像を撮影する第２撮像部に画像を撮影させる撮像ステップと、
記憶部に第１画像と第２画像とを記憶させる記憶ステップと、
前記第１撮像部が撮影した前記画像に含まれている被写体と前記記憶部が記憶している前記第１画像に含まれている被写体とが一致し、かつ前記第２撮像部が撮影した前記画像に含まれている被写体と前記記憶部が記憶している前記第２画像に含まれている被写体とが一致する場合にロックを解除する認証処理を行う画像認証判定ステップと、
をコンピュータに実行させるためのプログラム。
【発明の詳細な説明】
【技術分野】
【０００１】
本発明は、携帯端末装置、認証方法およびプログラムに関する。
【背景技術】
【０００２】
昨今、情報処理端末の一例である携帯電話は、個人情報の格納機能や電子マネー機能など、所有者にとってより重要な機能を持ちつつあり、セキュリティのために、所有者の人物認証（ユーザ認証）の重要性が高まってきている。このため、現在、携帯電話においては、所有者の人物認証を行うための様々な認証手段が設けられている。その一例として、携帯電話に付属しているカメラ（撮像機能）を用いて所有者の顔を撮影し、その撮影した顔画像を用いて所有者の認証を行うといった顔認証手段がある。
【０００３】
しかしながら、顔認証手段では、例えば所有者の写真をカメラで撮影するなどして、顔認証によるセキュリティチェックをすりぬけ不正使用することが簡単に行えるため、セキュリティ機能としての安全性が低いという問題がある。
【０００４】
そこで、例えば、カメラにより、第１の角度から対象物体を撮影し第１画像を得るとともに、第１の角度とは異なる第２の角度から対象物体を撮影し第２画像を得る。また、第１画像から第１の特徴点を検出し、その検出された特徴点の位置を表す第１特徴点座標を得るとともに、第２画像から第２の特徴点を検出し、その検出された特徴点の位置を表す第２特徴点座標を得る。そして、第１の特徴点と第２の特徴点を対応付け、第２画像から第１画像への平面的な射影変換を実行して変換座標を得る。変換座標と第１特徴点座標との誤差が一定値以下となる場合に、なりすましが試みられたと判定する認証手段が知られている（例えば、特許文献１参照）。
【０００５】
また、例えば、暗証番号認証と動き認証の２つの認証手段を備え、下記の２つ以上の認証条件から１つの認証条件を選択し、選択した認証条件を満足すると、情報処理端末のロックを解除する認証手段が知られている（例えば、特許文献２参照）。
認証条件１：暗証番号認証及び動き認証の何れか一方による認証成功を条件とする。
認証条件２：暗証番号認証及び動き認証の双方による認証成功を条件とする。
認証条件３：暗証番号認証又は動き認証の何れかを選択し、選択した認証手段による認証成功を条件とする。
【先行技術文献】
【特許文献】
【０００６】
【特許文献１】国際公開第２０１０／０５０２０６号
【特許文献２】特開２０１１−０９１６１３号公報
【発明の概要】
【発明が解決しようとする課題】
【０００７】
しかしながら、特許文献１や特許文献２に記載の認証手段では、顔認証を用いた認証手段よりはセキュリティは高いが、本人認証を完了するための操作が多くなり、認証を完了するまでの処理に時間がかかってしまい、利便性が下がるという問題がある。
【０００８】
そこで、本発明の幾つかの態様は、利便性を下げることなく、より正確に認証することができる携帯端末装置、認証方法およびプログラムを提供する。
【課題を解決するための手段】
【０００９】
本発明の幾つかの態様は、画像を撮影する第１撮像部と、前記第１撮像部の撮影範囲とは異なる撮影範囲の画像を撮影する第２撮像部と、第１画像と第２画像とを記憶する記憶部と、前記第１撮像部が撮影した前記画像に含まれている被写体と前記記憶部が記憶している前記第１画像に含まれている被写体とが一致し、かつ前記第２撮像部が撮影した前記画像に含まれている被写体と前記記憶部が記憶している前記第２画像に含まれている被写体とが一致する場合にロックを解除する認証処理を行う画像認証判定部と、を備えることを特徴とする携帯端末装置である。
【００１０】
また、本発明の幾つかの態様は、第１撮像部と、前記第１撮像部の撮影範囲とは異なる撮影範囲の画像を撮影する第２撮像部とに画像を撮影させる撮像ステップと、記憶部に第１画像と第２画像とを記憶させる記憶ステップと、前記第１撮像部が撮影した前記画像に含まれている被写体と前記記憶部が記憶している前記第１画像に含まれている被写体とが一致し、かつ前記第２撮像部が撮影した前記画像に含まれている被写体と前記記憶部が記憶している前記第２画像に含まれている被写体とが一致する場合にロックを解除する認証処理を行う画像認証判定ステップと、を含むことを特徴とする認証方法である。
【００１１】
また、本発明の幾つかの態様は、第１撮像部と、前記第１撮像部の撮影範囲とは異なる撮影範囲の画像を撮影する第２撮像部に画像を撮影させる撮像ステップと、記憶部に第１画像と第２画像とを記憶させる記憶ステップと、前記第１撮像部が撮影した前記画像に含まれている被写体と前記記憶部が記憶している前記第１画像に含まれている被写体とが一致し、かつ前記第２撮像部が撮影した前記画像に含まれている被写体と前記記憶部が記憶している前記第２画像に含まれている被写体とが一致する場合にロックを解除する認証処理を行う画像認証判定ステップと、をコンピュータに実行させるためのプログラムである。
【発明の効果】
【００１２】
本発明によれば、利便性を下げることなく、より正確に認証することができる。
【図面の簡単な説明】
【００１３】
【図１】本発明の第１実施形態における携帯端末装置の外観を示した概略図である。
【図２】本発明の第１実施形態における携帯端末装置の構成を示したブロック図である。
【図３】本発明の第１実施形態における携帯端末装置の動作状態の遷移を示す状態遷移図である。
【図４】本発明の第１実施形態における携帯端末装置の認証処理結果を示した概略図である。
【図５】本発明の第１実施形態における携帯端末装置の認証処理手順を示したフローチャートである。
【図６】本発明の第２実施形態における携帯端末装置の認証処理手順を示したフローチャートである。
【発明を実施するための形態】
【００１４】
（第１実施形態）
以下、本発明の第１実施形態について図を参照しながら説明する。図１は、本実施形態における携帯端末装置１の外観を示した概略図である。図１（Ａ）は、携帯端末装置１の正面側の外観を示している。携帯端末装置１の正面側には、第１撮像部１１と、表示部１３と、操作部１４とが配置されている。第１撮像部１１は、例えばＣＭＯＳイメージセンサであり、画像を撮影する。携帯端末装置１の正面側に配置されている第１撮像部１１をインカメラと呼ぶ。表示部１３は、例えば液晶ディスプレイであり、画像の表示を行う。操作部１４は、例えばタッチパネルや押しボタン式のスイッチであり、入力を受け付ける。
【００１５】
図１（Ｂ）は、携帯端末装置１の背面側の外観を示している。携帯端末装置１の背面側には、第２撮像部１２が配置されている。第２撮像部１２は、例えばＣＭＯＳイメージセンサであり、画像を撮影する。携帯端末装置１の背面側に配置されている第２撮像部１２をアウトカメラと呼ぶ。このように、第１撮像部１１は携帯端末装置１の正面側に配置されており、第２撮像部１２は携帯端末装置１の背面側に配置されているため、第１撮像部１１の撮影範囲と第２撮像部１２の撮影範囲とは異なる。
【００１６】
図２は、本実施形態における携帯端末装置１の構成を示したブロック図である。図示する例では、携帯端末装置１は、第１撮像部１１と、第２撮像部１２と、表示部１３と、操作部１４と、制御部１５と、記憶部１６と、メモリ１７とを備えている。第１撮像部１１と、第２撮像部１２と、表示部１３と、操作部１４とは、図１で説明した通りである。制御部１５は、例えばＣＰＵであり、携帯端末装置１が備える各部の動作を制御する。なお、本実施形態では、制御部１５は画像認証判定部１５１としても動作する。
【００１７】
記憶部１６は、例えばＲＡＭ（Ｒａｎｄｏｍ  Ａｃｃｅｓｓ  Ｍｅｍｏｒｙ）であり、画像認証用データを記憶する。本実施形態では、画像認証用データとして、顔画像とパターン画像とを記憶する。顔画像とパターン画像については後述する。メモリ１７は、例えばＲＡＭであり、携帯端末装置１の各部が用いるデータを記憶する。
【００１８】
次に、携帯端末装置１の動作状態の遷移について説明する。図３は、本実施形態における携帯端末装置１の動作状態の遷移を示す状態遷移図である。本実施形態では、携帯端末装置１は、状態１〜状態４のいずれかの状態で動作する。状態１〜３は、ロック状態であり、使用者が携帯端末装置１の認証機能以外を使用することができない状態である。状態４は、ロック解除状態であり、使用者が携帯端末装置１を使用することができる状態である。
【００１９】
状態１で動作している場合、携帯端末装置１の制御部１５は、操作開始入力のみ受け付ける。なお、携帯端末装置１の制御部１５は、状態１で動作している場合には、電力消費を抑えるために表示部１３を消灯させる。携帯端末装置１の制御部１５は、状態１で動作している際に操作開始入力を受け付けた場合、状態２での動作に遷移する。例えば、携帯端末装置１の制御部１５は、操作部１４が備えるいずれかのスイッチが押下された場合、操作開始入力を受け付けたと判定する。
【００２０】
状態２での動作に遷移した場合、携帯端末装置１の制御部１５は、表示部１３の表示をＯＮにして認証処理を行う旨の表示を行い、その後、状態３での動作に遷移する。状態３での動作に遷移した場合、携帯端末装置１の制御部１５は、第１撮像部１１と第２撮像部１２とを起動させて画像を撮影させる。そして、携帯端末装置１の制御部１５は、第１撮像部１１と第２撮像部１２とが撮影した画像に基づいて、携帯端末装置１の操作権限を有しているユーザであるか否かを認証する認証処理を行う。認証処理の詳細については後述する。携帯端末装置１の制御部１５は、認証処理を行い、携帯端末装置１の操作権限を有しているユーザであると判定した場合には状態４での動作に遷移し、携帯端末装置１の操作権限を有していないユーザであると判定した場合には再度状態３での動作を実行する。
【００２１】
状態４での動作に遷移した場合、携帯端末装置１の制御部１５は、携帯端末装置１のロック（機能制限）を解除し、ユーザが携帯端末装置１の機能を使用できるように設定する（ロック解除状態）。なお、携帯端末装置１の制御部１５は、状態２〜４で動作している際に操作部１４が操作終了入力を受け付けた場合、状態１での動作に遷移する。例えば、携帯端末装置１の制御部１５は、操作部１４が備える電源キーが押下された場合、操作終了入力を受け付けたと判定する。なお、携帯端末装置１の制御部１５は、状態２〜４で動作している際に操作部１４が一定時間以上入力を受け付けていない場合、状態１での動作に遷移するようにしてもよい。
【００２２】
次に、携帯端末装置１が実施する認証処理について説明する。本実施形態では、認証に用いる画像として、ユーザ自身の顔を撮影した画像である顔画像（第１画像）と、認証に用いる物体を撮影した画像であるパターン画像（第２画像）とを予め撮影して記憶部１６に記憶させる。また、認証処理時に、携帯端末装置１の正面側に配置されている第１撮像部１１でユーザの顔を撮影し、携帯端末装置１の背面側に配置されている第２撮像部１２で認証に用いる物体を撮影する。そして、画像認証判定部１５１は、予め記憶部１６が記憶している顔画像に含まれている被写体と、第１撮像部１１が撮影した顔画像に含まれている被写体とが一致し、かつ、予め記憶部１６が記憶しているパターン画像に含まれている被写体と、第２撮像部１２が撮影したパターン画像に含まれている被写体とが一致した場合に、携帯端末装置１の操作権限を有しているユーザであると判定し、ロックを解除する。
【００２３】
また、画像認証判定部１５１は、予め記憶部１６が記憶している顔画像に含まれている被写体と、第１撮像部１１が撮影した顔画像に含まれている被写体とが一致していない場合や、予め記憶部１６が記憶しているパターン画像に含まれている被写体と、第２撮像部１２が撮影したパターン画像に含まれている被写体とが一致していない場合など、いずれか一方でも一致していない場合には、携帯端末装置１の操作権限を有していないユーザであると判定し、ロックを解除しない。
【００２４】
なお、画像認証判定部１５１が実施する顔画像やパターン画像に含まれている被写体の一致判定処理は、従来知られている画像認識処理など、どのような方法を用いて実施しても良い。例えば、画像認証判定部１５１は、顔認証技術を用いて、予め記憶部１６が記憶している顔画像に含まれている被写体と、第１撮像部１１が撮影した顔画像に含まれている被写体とが一致しているか否かを判定するようにしてもよい。また、例えば、画像認証判定部１５１は、物体認識技術を用いて、予め記憶部１６が記憶しているパターン画像に含まれている被写体と第２撮像部１２が撮影したパターン画像に含まれている被写体とが一致しているか否かを判定するようにしてもよい。
【００２５】
図４は、本実施形態における携帯端末装置１の認証処理結果を示した概略図である。図示する例では、顔画像としてユーザＡの顔を撮影した画像と、パターン画像としてチョキの形の手を撮影した画像とを予め関連付けて記憶部１６に記憶させているとする。
【００２６】
図４（Ａ）に示す例では、第１撮像部１１が撮影した顔画像には、ユーザＡの顔が映っており、第２撮像部１２が撮影したパターン画像には、チョキの形の手が映っている。この場合、記憶部１６が記憶している顔画像に含まれている被写体と第１撮像部１１が撮影した顔画像に含まれている被写体とは一致している。また、記憶部１６が記憶しているパターン画像に含まれている被写体と第２撮像部１２が撮影したパターン画像に含まれている被写体とは一致している。従って、図４（Ａ）に示す例では、画像認証判定部１５１は、携帯端末装置１を操作しているユーザは、携帯端末装置１の操作権限を有しているユーザであると判定し、ロックを解除する。
【００２７】
図４（Ｂ）に示す例では、第１撮像部１１が撮影した顔画像には、ユーザＡの顔が映っており、第２撮像部１２が撮影したパターン画像には何の物体も映っていない。この場合、記憶部１６が記憶している顔画像に含まれている被写体と第１撮像部１１が撮影した顔画像に含まれている被写体とは一致している。しかしながら、記憶部１６が記憶しているパターン画像に含まれる被写体と第２撮像部１２が撮影したパターン画像に含まれている被写体とは一致していない。従って、図４（Ｂ）に示す例では、画像認証判定部１５１は、携帯端末装置１を操作しているユーザは、携帯端末装置１の操作権限を有していないユーザであると判定し、ロックを解除しない。
【００２８】
図４（Ｃ）に示す例では、第１撮像部１１が撮影した顔画像には、ユーザＡの顔が映っており、第２撮像部１２が撮影したパターン画像にはパーの形の手が映っている。この場合、記憶部１６が記憶している顔画像に含まれている被写体と第１撮像部１１が撮影した顔画像に含まれている被写体とは一致している。しかしながら、記憶部１６が記憶しているパターン画像に含まれている被写体と第２撮像部１２が撮影したパターン画像に含まれている被写体とは一致していない。従って、図４（Ｃ）に示す例では、画像認証判定部１５１は、携帯端末装置１を操作しているユーザは、携帯端末装置１の操作権限を有していないユーザであると判定し、ロックを解除しない。
【００２９】
図４（Ｄ）に示す例では、第１撮像部１１が撮影した顔画像には、ユーザＢの顔が映っており、第２撮像部１２が撮影したパターン画像にはチョキの形の手が映っている。この場合、記憶部１６が記憶しているパターン画像に含まれている被写体と第２撮像部１２が撮影したパターン画像に含まれている被写体とは一致している。しかしながら、記憶部１６が記憶している顔画像に含まれている被写体と第１撮像部１１が撮影した顔画像に含まれている被写体とは一致していない。従って、図４（Ｄ）に示す例では、画像認証判定部１５１は、携帯端末装置１を操作しているユーザは、携帯端末装置１の操作権限を有していないユーザであると判定し、ロックを解除しない。
【００３０】
図４（Ｅ）に示す例では、第１撮像部１１が撮影した顔画像には、ユーザＢの顔が映っており、第２撮像部１２が撮影したパターン画像にはパーの形の手が映っている。この場合、記憶部１６が記憶している顔画像に含まれている被写体と第１撮像部１１が撮影した顔画像に含まれている被写体とは一致していない。また、記憶部１６が記憶しているパターン画像に含まれる被写体と第２撮像部１２が撮影したパターン画像に含まれている被写体とは一致していない。従って、図４（Ｅ）に示す例では、画像認証判定部１５１は、携帯端末装置１を操作しているユーザは、携帯端末装置１の操作権限を有していないユーザであると判定し、ロックを解除しない。
【００３１】
次に、本実施形態における携帯端末装置１の認証処理手順について説明する。図５は、本実施形態における携帯端末装置１の認証処理手順を示したフローチャートである。なお、携帯端末装置１の制御部１５は、認証処理を行う前には状態１で動作している。
【００３２】
（ステップＳ１０１）ユーザは、携帯端末装置１のロックを解除するために、携帯端末装置１の操作部１４を操作し、操作開始の入力を行う。携帯端末装置１の制御部１５は、操作部１４が操作開始入力を受け付けたか否かを判定する。操作開始入力を受け付けたと制御部１５が判定した場合にはステップＳ１０２の処理に進み、それ以外の場合にはステップＳ１０１の処理を再度実行する。
【００３３】
（ステップＳ１０２）携帯端末装置１の制御部１５は、状態２での動作に遷移し、表示部１３の表示をＯＮにして認証処理を行う旨の表示を行う。その後、ステップＳ１０３の処理に進む。
（ステップＳ１０３）携帯端末装置１の制御部１５は、状態３での動作に遷移し、第１撮像部１１と第２撮像部１２とを起動させる。その後、ステップＳ１０４の処理に進む。
（ステップＳ１０４）携帯端末装置１の制御部１５は、認証処理を開始する。その後、ステップＳ１０５の処理に進む。
【００３４】
（ステップＳ１０５）ユーザは、携帯端末装置１の操作を終了する場合、操作部１４を操作し、携帯端末装置１に操作終了指示を入力する。携帯端末装置１の制御部１５は、操作部１４が操作終了指示の入力を受け付けたと判定した場合には状態１での動作に遷移し、処理を終了する。また、携帯端末装置１の制御部１５は、操作部１４が操作終了指示の入力を受け付けていないと判定した場合には、ステップＳ１０６の処理に進む。
【００３５】
（ステップＳ１０６）ユーザは、携帯端末装置１の位置および角度を、携帯端末装置１の正面側に配置されている第１撮像部１１にて自身の顔が撮影される位置および角度に合わせる。また、ユーザは、携帯端末装置１の背面側に配置されている第２撮像部１２にて予め決めておいた対象物体を撮影できるようにする。そして、ユーザは、操作部１４を操作し、携帯端末装置１に撮影指示を入力する。携帯端末装置１の制御部１５は、操作部１４が撮影指示の入力を受け付けた場合、第１撮像部１１に顔画像を撮影させ、第２撮像部１２にパターン画像を撮影させる。第１撮像部１１は、制御部１５の制御に基づいて顔画像を撮影する。また、第２撮像部１２は、制御部１５の制御に基づいてパターン画像を撮影する。その後、ステップＳ１０７の処理に進む。
【００３６】
（ステップＳ１０７）携帯端末装置１の制御部１５は、画像認証判定部１５１として動作し、ステップＳ１０６の処理で第１撮像部１１が撮影した顔画像に含まれている被写体と、記憶部１６が予め記憶している顔画像に含まれている被写体とが一致しているか否かを判定する。第１撮像部１１が撮影した顔画像に含まれている被写体と記憶部１６が予め記憶している顔画像に含まれている被写体とが一致していると判定した場合にはステップＳ１０８の処理に進み、それ以外の場合にはステップＳ１０５の処理に戻る。
【００３７】
（ステップＳ１０８）携帯端末装置１の制御部１５は、画像認証判定部１５１として動作し、ステップＳ１０６の処理で第２撮像部１２が撮影したパターン画像に含まれている被写体と、記憶部１６が予め記憶しているパターン画像に含まれている被写体とが一致しているか否かを判定する。第２撮像部１２が撮影したパターン画像に含まれている被写体と記憶部１６が予め記憶しているパターン画像に含まれている被写体とが一致していると判定した場合には、制御部１５は状態４での動作に遷移しロックを解除して処理を終了する。また、第２撮像部１２が撮影したパターン画像に含まれている被写体と記憶部１６が予め記憶しているパターン画像に含まれている被写体とが一致していないと判定した場合には、ステップＳ１０５の処理に戻る。
【００３８】
上述したとおり、本実施形態によれば、携帯端末装置１の正面側に配置されている第１撮像部１１（インカメラ）でユーザの顔を撮影し、携帯端末装置１の背面側に配置されている第２撮像部１２（アウトカメラ）でパターン画像を撮影する。そして、記憶部１６が予め記憶している顔画像に含まれている被写体と第１撮像部１１が撮影した顔画像に含まれている被写体とが一致し、かつ、記憶部１６が予め記憶しているパターン画像に含まれている被写体と第２撮像部１２が撮影したパターン画像に含まれている被写体とが一致した場合、携帯端末装置１の操作権限を有しているユーザであると判定して、ロックを解除する。
【００３９】
これにより、ユーザの顔認証（顔画像）と、ユーザしか知りえない情報（パターン画像）とを組み合わせることにより、従来の顔認証を用いた技術よりセキュリティを高くすることができる。すなわち、より正確に認証を行うことができる。
【００４０】
例えば、第１撮像部１１（インカメラ）にてユーザの顔が撮影され、顔認証が成功した場合でも、第２撮像部１２にて撮影されたパターン画像が予め記憶部１６に記憶されているパターン画像と異なる場合（例えば、手以外の画像であったり、手の画像であっても手の形が異なる場合や左右が異なるといった場合）には、認証処理が成功せず、ロック状態のままとなる。よって、実際のユーザの顔ではなく、顔写真をカメラで撮影することによるロック解除を防ぐことができる。
【００４１】
なお、本実施形態において、第２撮像部１２（アウトカメラ）で撮影する対象物体にユーザの手の形を利用したのは、所有者のみが知りえる情報であるべき、かつ、所有者が存在すればそこに存在するものであるべきという理由からである。これらの条件を満たすものとして、利用者の手のかたち（ピースサインなど）が適していると考えられるからである。
【００４２】
また、多くの携帯端末装置１の場合、第１撮像部１１（インカメラ）と第２撮像部１２（アウトカメラ）とは１８０°反対の方向を向いているため、ユーザの顔と手（携帯端末装置１を持つ手とは逆の手）を同時に撮影することが可能である。このため、ユーザは、従来の顔認証によるロック解除と同等の手間および時間で本実施形態における認証処理を行うことができ、操作の負担増とはならない。また、指紋センサなどのデバイスを新たに追加する必要がないため、第１撮像部１１（インカメラ）と第２撮像部１２（アウトカメラ）とを備えた既存の携帯端末装置でもプログラムの追加により実現することが可能である。
【００４３】
（第２実施形態）
次に、第２実施形態について説明する。本実施形態における携帯端末装置１の外観図は、第１実施形態における携帯端末装置１の外観図と同様である。また、本実施形態における携帯端末装置１のブロック図は第１実施形態における携帯端末装置１のブロック図と同様である。
【００４４】
本実施形態と第１実施形態とで異なる点は、本実施形態では、ユーザが携帯端末装置１を持っている手（右手または左手）に応じて、認証処理に用いる顔画像とパターン画像とを変更する点である。そこで、本実施形態では、ユーザが携帯端末装置１を保持している手を判別するために、操作部１４は、把持検出のためのセンサを備えている。例えば、操作部１４は、携帯端末装置１の正面側から見て、右側の枠と左側の枠それぞれにタッチセンサを備える。この場合、右側の枠のタッチセンサが入力を検知した場合には、ユーザは右手で携帯端末装置１を把持していると判定することができる。また、左側の枠のタッチセンサが入力を検知した場合には、ユーザは左手で携帯端末装置１を把持していると判定することができる。なお、ユーザがどちらの手で携帯端末装置１を把持しているかを判定する方法はどのような方法を用いてもよい。
【００４５】
また、本実施形態における記憶部１６は、ユーザが携帯端末装置１を右手で把持している場合に用いる画像認証用データとして、右手用顔画像と右手用パターン画像とを記憶する。また、本実施形態における記憶部１６は、ユーザが携帯端末装置１を左手で把持している場合に用いる画像認証用データとして、左手用顔画像と左手用パターン画像とを記憶する。すなわち、記憶部１６は、複数の顔画像とパターン画像との組を記憶する。
【００４６】
次に、本実施形態における携帯端末装置１の認証処理手順について説明する。図６は、本実施形態における携帯端末装置１の認証処理手順を示したフローチャートである。なお、携帯端末装置１の制御部１５は、認証処理を行う前には状態１で動作している。
【００４７】
ステップＳ２０１〜２０６の処理は、第１の実施形態におけるステップＳ１０１〜１０６の処理と同様である。
【００４８】
（ステップＳ２０７）携帯端末装置１の制御部１５は、操作部１４が備える右枠に配置されたタッチセンサと、左枠に配置されたタッチセンサとの検出結果に基づいて、ユーザが携帯端末装置１を把持している手を判定する。携帯端末装置１を右手で把持していると制御部１５が判定した場合にはステップＳ２０８の処理に進み、携帯端末装置１を左手で把持していると制御部１５が判定した場合にはステップＳ２１０の処理に進む。
【００４９】
（ステップＳ２０８）携帯端末装置１の制御部１５は、画像認証判定部１５１として動作し、ステップＳ２０６の処理で第１撮像部１１が撮影した顔画像に含まれている被写体と、記憶部１６が予め記憶している右手用顔画像に含まれている被写体とが一致しているか否かを判定する。第１撮像部１１が撮影した顔画像に含まれている被写体と記憶部１６が予め記憶している右手用顔画像に含まれている被写体とが一致していると判定した場合にはステップＳ２０９の処理に進み、それ以外の場合にはステップＳ２０５の処理に戻る。
【００５０】
（ステップＳ２０９）携帯端末装置１の制御部１５は、画像認証判定部１５１として動作し、ステップＳ２０６の処理で第２撮像部１２が撮影したパターン画像に含まれている被写体と、記憶部１６が予め記憶している右手用パターン画像に含まれている被写体とが一致しているか否かを判定する。第２撮像部１２が撮影したパターン画像に含まれている被写体と記憶部１６が予め記憶している右手用パターン画像に含まれている被写体とが一致していると判定した場合には、制御部１５は状態４での動作に遷移しロックを解除して処理を終了する。また、第２撮像部１２が撮影したパターン画像に含まれている被写体と記憶部１６が予め記憶している右手用パターン画像に含まれている被写体とが一致していないと判定した場合には、ステップＳ２０５の処理に戻る。
【００５１】
（ステップＳ２１０）携帯端末装置１の制御部１５は、画像認証判定部１５１として動作し、ステップＳ２０６の処理で第１撮像部１１が撮影した顔画像に含まれている被写体と、記憶部１６が予め記憶している左手用顔画像に含まれている被写体とが一致しているか否かを判定する。第１撮像部１１が撮影した顔画像に含まれている被写体と記憶部１６が予め記憶している左手用顔画像に含まれている被写体とが一致していると判定した場合にはステップＳ２１１の処理に進み、それ以外の場合にはステップＳ２０５の処理に戻る。
【００５２】
（ステップＳ２１１）携帯端末装置１の制御部１５は、画像認証判定部１５１として動作し、ステップＳ２０６の処理で第２撮像部１２が撮影したパターン画像に含まれている被写体と、記憶部１６が予め記憶している左手用パターン画像に含まれている被写体とが一致しているか否かを判定する。第２撮像部１２が撮影したパターン画像に含まれている被写体と記憶部１６が予め記憶している左手用パターン画像に含まれている被写体とが一致していると判定した場合には、制御部１５は状態４での動作に遷移しロックを解除して処理を終了する。また、第２撮像部１２が撮影したパターン画像に含まれている被写体と記憶部１６が予め記憶している左手用パターン画像に含まれている被写体とが一致していないと判定した場合には、ステップＳ２０５の処理に戻る。
【００５３】
上述したとおり、本実施形態では、ユーザが携帯端末装置１を把持している手によって認証処理で用いる画像を切り替えることができる。これにより、ユーザしか知り得ない情報の組み合わせが増え、従来の顔認証を用いた技術よりセキュリティを高くすることができる。すなわち、より正確に認証処理を行うことができる。
【００５４】
また、本実施形態では、ユーザの操作手順を増やすことなく、ユーザが携帯端末装置１を保持している手の判別を行っている。このため、ユーザは、従来の顔認証によるロック解除と同等の手間および時間で本実施形態における認証処理を行うことができ、操作の負担増とはならない。
【００５５】
なお、上述した例では、ユーザが携帯端末装置１を把持している手に応じて、認証処理に用いる顔画像とパターン画像との組を選択したが、これに限らない。例えば、３組以上の顔画像とパターン画像との組を記憶部１６に予め記憶させ、操作部１４が受け付けた入力等に応じて、認証処理に用いる顔画像とパターン画像との組を選択するようにしてもよい。
【００５６】
なお、上述した実施形態における携帯端末装置１が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００５７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００５８】
以上、この発明の第１の実施形態および第２の実施形態について図面を参照して詳述してきたが、具体的な構成はこの実施形態に限られるものではなく、この発明の要旨を逸脱しない範囲の設計等も含まれる。
【００５９】
例えば、上述した実施形態では、第１撮像部１１が顔画像を撮影し、第２撮像部１２がパターン画像を撮影しているが、これに限らない。例えば、第１撮像部１１がパターン画像を撮影し、第２撮像部１２が顔画像を撮影するようにしてもよい。また、上述した実施形態では、パターン画像として手の形を用いているが、これに限らず、どのような物体やどのような物体の形状を用いるようにしてもよい。
【００６０】
（１）画像を撮影する第１撮像部と、前記第１撮像部の撮影範囲とは異なる撮影範囲の画像を撮影する第２撮像部と、第１画像と第２画像とを記憶する記憶部と、前記第１撮像部が撮影した前記画像に含まれている被写体と前記記憶部が記憶している前記第１画像に含まれている被写体とが一致し、かつ前記第２撮像部が撮影した前記画像に含まれている被写体と前記記憶部が記憶している前記第２画像に含まれている被写体とが一致する場合にロックを解除する認証処理を行う画像認証判定部と、を備えることを特徴とする携帯端末装置。
【００６１】
（２）前記記憶部は、複数組の前記第１画像と前記第２画像とを記憶し、前記画像認証判定部は、前記記憶部が記憶するいずれかの組の前記第１画像と前記第２画像とを用いて前記認証処理を行うことを特徴とする（１）に記載の携帯端末装置。
【００６２】
（３）第１撮像部と、前記第１撮像部の撮影範囲とは異なる撮影範囲の画像を撮影する第２撮像部とに画像を撮影させる撮像ステップと、記憶部に第１画像と第２画像とを記憶させる記憶ステップと、前記第１撮像部が撮影した前記画像に含まれている被写体と前記記憶部が記憶している前記第１画像に含まれている被写体とが一致し、かつ前記第２撮像部が撮影した前記画像に含まれている被写体と前記記憶部が記憶している前記第２画像に含まれている被写体とが一致する場合にロックを解除する認証処理を行う画像認証判定ステップと、を含むことを特徴とする認証方法。
【００６３】
（４）第１撮像部と、前記第１撮像部の撮影範囲とは異なる撮影範囲の画像を撮影する第２撮像部に画像を撮影させる撮像ステップと、記憶部に第１画像と第２画像とを記憶させる記憶ステップと、前記第１撮像部が撮影した前記画像に含まれている被写体と前記記憶部が記憶している前記第１画像に含まれている被写体とが一致し、かつ前記第２撮像部が撮影した前記画像に含まれている被写体と前記記憶部が記憶している前記第２画像に含まれている被写体とが一致する場合にロックを解除する認証処理を行う画像認証判定ステップと、をコンピュータに実行させるためのプログラム。
【符号の説明】
【００６４】
１・・・携帯端末装置、１１・・・第１撮像部、１２・・・第２撮像部、１３・・・表示部、１４・・・操作部、１５・・・制御部、１６・・・記憶部、１７・・・メモリ、１５１・・・画像認証判定部
【図１】
2015046061.tif 000003
【図２】
2015046061.tif 000004
【図３】
2015046061.tif 000005
【図４】
2015046061.tif 000006
【図５】
2015046061.tif 000007
【図６】
2015046061.tif 000008